(57)【要約】【課題】通信を連続して、しかも長時間通信できる通信装置用の電源装置を提供する。【解決手段】駆動用電池4、電気二重層コンデンサ11A,11B、電源監視手段10、補助電源用電流誘起素子5、充電回路13、充放電切替スイッチ14、電源監視手段10からの監視結果に基づいて、電池4あるいは電気二重層コンデンサ11A,11Bによる電源供給を指示するCPU6を備えている。【選択図】図１
2015192501.tif 000002
【特許請求の範囲】
【請求項１】
通信装置に電源を供給する通信装置用の電源装置であって、
交換可能な駆動用電池と、
補助電源としての複数個の電気二重層コンデンサと、
前記駆動用電池と前記電気二重層コンデンサの出力電圧をそれぞれ監視する電源監視手段と、
交流電源を供給する配電線を挿通して、電流を誘起する補助電源用電流誘起素子と、
前記補助電源用電流誘起素子で誘起された電流で前記電気二重層コンデンサの充電を行う充電回路と、
前記複数個の電気二重層コンデンサのうち電源供給に選択された電気二重層コンデンサの出力電位を前記通信装置に供給する放電回路と、
前記電気二重層コンデンサの充電、放電の切り替えを行う充放電切り替え手段と、
前記電源監視手段からの監視結果に基づいて、前記駆動用電池あるいは前記電気二重層コンデンサによる電源供給を指示する電源制御部を備え、
前記駆動用電池が前記通信装置に電源を供給している間、前記充放電切り替え手段により全ての電気二重層コンデンサは充電状態にあり、
前記電源監視手段により前記駆動用電池の出力電圧が所定値以下になったことを検出すると、前記電源制御部は前記駆動用電池からの電源供給を停止するとともに、前記充放電切り替え手段により前記複数個の電気二重層コンデンサを１個ずつ前記通信装置に接続して電源を供給することを特徴とする通信装置用の電源装置。
【請求項２】
請求項１に記載の通信装置用の電源装置において、
前記充放電切り替え手段は、前記複数個の電気二重層コンデンサ毎に前記充電回路と接続する充電用スイッチと、前記放電回路と接続する放電用スイッチを有し、
当該電気二重層コンデンサを充電するときには前記充電用スイッチを閉成して、前記放電用スイッチを開放し、
当該電気二重層コンデンサを放電するときには前記充電用スイッチを開放して、前記放電用スイッチを閉成する構成になっていることを特徴とする通信装置用の電源装置。
【請求項３】
請求項２に記載の通信装置用の電源装置において、
前記複数個の電気二重層コンデンサが少なくとも第１電気二重層コンデンサと第２電気二重層コンデンサを有し、
前記充放電切り替え手段が、第１充電用スイッチと第１放電用スイッチと第２充電用スイッチと第２放電用スイッチを有し、
前記充電回路と前記放電回路の間に、第１充電用スイッチと第１放電用スイッチが直列に接続され、前記第１充電用スイッチと前記第１放電用スイッチの接続点とグランド間に前記第１電気二重層コンデンサが接続され、
また、前記充電回路と前記放電回路の間に、第２充電用スイッチと第２放電用スイッチが直列に接続され、前記第２充電用スイッチと前記第２放電用スイッチの接続点とグランド間に前記第２電気二重層コンデンサが接続され、
前記第１ならびに第２充電用スイッチと前記第１ならびに第２放電用スイッチの閉成および開放により、前記第１ならびに第２電気二重層コンデンサの充電および放電の回路が構成されることを特徴とする通信装置用の電源装置。
【請求項４】
請求項１に記載の通信装置用の電源装置において、
前記複数個の電気二重層コンデンサが少なくとも第１電気二重層コンデンサと第２電気二重層コンデンサを有し、
前記充放電切り替え手段により前記第１電気二重層コンデンサが前記通信装置に電源を供給している間、前記第２電気二重層コンデンサは前記充放電切り替え手段により充電状態とし、
前記電源監視手段により前記第１電気二重層コンデンサの出力電圧が所定値以下になったことを検出すると、前記充放電切り替え手段により、前記第２電気二重層コンデンサが前記通信装置に電源を供給するとともに前記第１電気二重層コンデンサを充電するように、
前記第１電気二重層コンデンサと前記第２電気二重層コンデンサの放電と充電を交互に繰り返すことを特徴とする通信装置用の電源装置。
【請求項５】
請求項４に記載の通信装置用の電源装置において、
前記電源監視手段により前記全ての電気二重層コンデンサの出力電位が所定値以下になったことを検出すると、前記電気二重層コンデンサからの電源供給を停止して、前記充放電切り替え手段により前記全ての電気二重層コンデンサを充電することを特徴とする通信装置用の電源装置。
【請求項６】
請求項５に記載の通信装置用の電源装置において、
前記駆動用電池からの電源供給中と、前記電気二重層コンデンサからの電源供給中と、前記駆動用電池ならびに前記電気二重層コンデンサからの電源供給停止を区別して表示する表示手段を設けたことを特徴とする通信装置用の電源装置。
【請求項７】
請求項１ないし６のいずれか１項に記載の通信装置用の電源装置において、
前記通信装置が、前記配電線を挿通して、前記配電線に流れる電流値を計測する計測用電流センサーと、前記計測用電流センサーで計測された電流値を電力量に変換して積算した積算電力量を集計端末に送信する無線通信回路を備えたことを特徴とする通信装置用の電源装置。
【発明の詳細な説明】
【技術分野】
【０００１】
本発明は、通信装置用の電源装置に関する。
【背景技術】
【０００２】
通信装置の主電源装置に充電装置を用いた技術として、光通信回線の光を光電変換素子で光電変換した電気を充電装置であるキャパシタに充電し、このキャパシタの充電電圧が所定電圧に達するとキャパシタを電源として接続し、取得したデータを光通信回線へ送信する通信装置が、例えば特許文献１などで提案されている。
【先行技術文献】
【特許文献】
【０００３】
【特許文献１】特開２００９−１１８３２９号公報
【発明の概要】
【発明が解決しようとする課題】
【０００４】
特許文献１では、充電したキャパシタを主電源装置として使用するため、光通信回線へのデータ送信が長くなると、電源消費量が多くなり電気が消耗するので、放電から充電に頻繁に切り替える必要がある。
【０００５】
キャパシタは充電しながら放電することができず、充電時は通信装置への電源供給ができないから、通信装置として機能しないという問題がある。
【０００６】
また、計測や通信に使用される電源容量はキャパシタの容量に依存するため、連続した計測が不可能なこと、長時間にわたる通信が不可能なこと、計測中に計測不能となること、通信中に通信不能となるなどの問題が潜在している。
【０００７】
本発明の目的は、通信を連続して、しかも長時間通信できる通信装置用の電源装置を提供することにある。
【課題を解決するための手段】
【０００８】
前記目的を達成するために本発明は、通信装置に電源を供給する通信装置用の電源装置であって、交換可能な駆動用電池と、補助電源としての複数個の電気二重層コンデンサと、前記駆動用電池と前記電気二重層コンデンサの出力電圧をそれぞれ監視する電源監視手段と、交流電源を供給する配電線を挿通して、電流を誘起する補助電源用電流誘起素子と、前記補助電源用電流誘起素子で誘起された電流で前記電気二重層コンデンサの充電を行う充電回路と、前記複数個の電気二重層コンデンサのうち電源供給に選択された電気二重層コンデンサの出力電位を前記通信装置に供給する放電回路と、前記電気二重層コンデンサの充電、放電の切り替えを行う充放電切り替え手段と、前記電源監視手段からの監視結果に基づいて、前記駆動用電池あるいは前記電気二重層コンデンサによる電源供給を指示する電源制御部を備え、前記駆動用電池が前記通信装置に電源を供給している間、前記充放電切り替え手段により全ての電気二重層コンデンサは充電状態にあり、前記電源監視手段により前記駆動用電池の出力電圧が所定値以下になったことを検出すると、前記電源制御部は前記駆動用電池からの電源供給を停止するとともに、前記充放電切り替え手段により前記複数個の電気二重層コンデンサを１個ずつ前記通信装置に接続して電源を供給することを特徴とする。
【発明の効果】
【０００９】
本発明によれば、通信を連続して、しかも長時間通信できる通信装置用の電源装置を提供することができる。
【図面の簡単な説明】
【００１０】
【図１】本発明の実施形態に係る電力計測用通信装置の概略構成図である。
【図２】その電力計測用通信装置に用いる電気二重層コンデンサと充放電切替スイッチの回路構成図である。
【図３】その電力計測用通信装置内の電源装置の動作を説明するフローチャートである。
【発明を実施するための形態】
【００１１】
以下、本発明の実施形態を図１〜３を用いて説明する。  
本発明の実施形態に係る電力計測用通信装置は図１に示すように、建物内の設備機器(図示せず)に接続されている配電線１を介して、その設備機器の使用電力量を計測する計測用ＣＴ型電流センサー(以下、計測用電流センサーと略記することもある)２と、その計測用電流センサー２で検出した電流値を電力値に変換して無線で送信する計測・無線装置本体(以下、装置本体と略記することもある)３と、その装置本体３へ電源を供給する駆動用電池 (以下、電池と略記することもある) ４から主に構成されている。
【００１２】
計測用電流センサー２は、リング状をした強磁性体のコアに巻線を施した一種のトランスで、図１に示すように前記コアの中に配電線１を挿通することで、前記巻線には配電線１を流れる交流電流値に見合った誘起電流が流れ、この誘起電流を電圧に変換して計測することで、配電線１を切断することなく交流電流値が計測できる。
【００１３】
装置本体３には、各種制御を実行指令するＣＰＵ６、計測用電流センサー２で検出した電流値を電力値に変換してＣＰＵ６に送信する計測回路７、計測回路７で変換された電力値、装置本体３の各種指令に要する設定値、各種指令に対する動作ログなどを記憶するメモリ８、メモリ８に記憶されている計測電力量をＣＰＵ６の指令により電波に変換して、アンテナ９Ａにより建物内の集計端末(図示せず)に送信する無線通信回路９などを備えている。
【００１４】
本実施形態では電池４として単一型電池を３本直列に接続したものを使用し、装置本体３に電源電圧４．５Ｖを供給している。なお電池４は、装置本体３に対して交換可能に装着されている。
【００１５】
電池４の電圧は、電源監視回路１０により監視されている。電源監視回路１０は、電池４の電圧が所定電圧以下になると、ＣＰＵ６へ電池４の消耗信号を出力し、ＣＰＵ６の指令により電池４からの電源供給を停止し、予め準備されている２個の第１電気二重層コンデンサ(１)１１Ａまたは第２電気二重層コンデンサ(２)１１Ｂからの電源供給に切り替える。電気二重層コンデンサ１１により、例えば４Ｖが電源電圧として装置本体３に供給される。なお、本実施形態のＣＰＵ６は、２Ｖでも動作するものを搭載している。
【００１６】
電気二重層コンデンサ１１は、電気二重層という物理現象を利用することで、通常のコンデンサより蓄電容量を高めたコンデンサであり、別名スーパ・キャパシタと呼ばれ、メモリのバックアップ電源などに使用されている。
【００１７】
電気二重層コンデンサ１１は、蓄電容量が大で、内部抵抗が小さいため充電が短時間に終了し、充放電による品質的な劣化が少なく、耐用寿命が長いなどの特長を有している。
電気二重層コンデンサ１１Ａ，１１Ｂは、配電線１に取り付けられている補助電源用ＣＴ型電流誘起素子 (以下、補助電源用電流誘起素子と略記することもある)５から取得した誘起電流を入力回路１２で電圧に変換し、充電回路１３、充放電切替スイッチ１４を介して充電される。
【００１８】
この補助電源用電流誘起素子５は計測用電流センサー２と原理・構成は同じであり、リング状をした強磁性体のコアに巻線を施した一種のトランスで、図１に示すように前記コアの中に配電線１を挿通することで、前記巻線には配電線１を流れる交流電流値に見合った誘起電流が流れる。補助電源用電流誘起素子５で得られた誘起電流で、電気二重層コンデンサ１１Ａ，１１Ｂの充電を行う。
【００１９】
電源監視回路１０で計測された電池４の電圧が所定値を超えているときは、電気二重層コンデンサ１１Ａ，１１Ｂからの電源供給は必要でないから、充放電切替スイッチ１４はＣＰＵ６の指令で充電側に設定されている。
【００２０】
そして電源監視回路１０がＣＰＵ６へ電池４の消耗信号を出力すると、ＣＰＵ６の指令で充放電切替スイッチ１４は放電側に切り替えられ、放電回路１５を介して電気二重層コンデンサ(１)１１Ａまたは電気二重層コンデンサ(２)１１Ｂからの電源供給が行われる。本実施形態では、最初に電気二重層コンデンサ(１)１１Ａが電源供給に寄与し、次に電気二重層コンデンサ(２)１１Ｂが電源供給に寄与するように決められている。
【００２１】
放電回路１５は、電源監視回路１０と充放電切替スイッチ１４の間に接続されている。電源監視回路１０は放電回路１５の出力電圧を計測し、予め定めた電圧以下になると、ＣＰＵ６へ電気二重層コンデンサ(１)１１Ａの消耗信号を出力し、ＣＰＵ６は消耗信号の入力で、充放電切替スイッチ１４において電気二重層コンデンサ(１)１１Ａを充電側、電気二重層コンデンサ(２)１１Ｂを放電側に切り替え、電気二重層コンデンサ(１)１１Ａが一旦放電したことをメモリ８に放電履歴として記憶する。
【００２２】
また、電源監視回路１０は放電回路１５の出力電圧を計測し、電気二重層コンデンサ(２)１１Ｂの出力電位が予め定めた電圧以下となると、ＣＰＵ６へ電気二重層コンデンサ(２)１１Ｂの消耗信号を出力し、ＣＰＵ６は消耗信号の入力で、充放電切替スイッチ１４において電気二重層コンデンサ(１)１１Ａを放電側、電気二重層コンデンサ(２)１１Ｂを充電側に切り替える。
【００２３】
さらに、電源監視回路１０は放電回路１５の出力電圧を計測し、電気二重層コンデンサ(１)１１Ａの出力電位が予め定めた電圧以下となると、ＣＰＵ６へ電気二重層コンデンサ(１)１１Ａの消耗信号を出力し、ＣＰＵ６は消耗信号の入力とメモリ８に記憶した電気二重層コンデンサ(１)１１Ａが放電済みで電源供給不能かの情報が両方揃ったときに、全ての電源供給を停止する。
【００２４】
ＣＰＵ６にＬＥＤ１６が接続され、ＣＰＵ６は、装置本体３の電源供給源が電池４のときに緑色に点灯され、電気二重層コンデンサ１１Ａおよび１１Ｂのときに赤色に点灯され、全ての電源供給を停止すると消灯させる指令を出す。
【００２５】
このように電池４からの電源供給中と、電池４からの電源供給を停止して電気二重層コンデンサ１１からの電源供給中と、電池４ならびに電気二重層コンデンサ１１からの電源供給停止を区別して表示する表示手段(本実施形態ではＬＥＤ１６)を設けて状況を表示することにより、電池４の交換を促すことができる。
【００２６】
図２は、電気二重層コンデンサ１１Ａ、１１Ｂと充放電切替スイッチ１４の回路構成図である。  
充放電切替スイッチ１４は、１組の第１ダイオード１４Ａと第１充電用スイッチ１４Ｂと第１放電用スイッチ１４Ｃと、もう１組の第２ダイオード１４Ｄと第２充電用スイッチ１４Ｅと第２放電用スイッチ１４Ｆから構成されている。
【００２７】
図２に示すように、充電回路１３と放電回路１５の間に、ダイオード１４Ａと充電用スイッチ１４Ｂと放電用スイッチ１４Ｃが直列に接続され、充電用スイッチ１４Ｂと放電用スイッチ１４Ｃの接続点とグランド間に電気二重層コンデンサ(１)１１Ａが接続されている。
【００２８】
また、充電回路１３と放電回路１５の間に、ダイオード１４Ｄと充電用スイッチ１４Ｅと放電用スイッチ１４Ｆが直列に接続され、充電用スイッチ１４Ｅと放電用スイッチ１４Ｆの接続点とグランド間に電気二重層コンデンサ(２)１１Ｂが接続されている。
【００２９】
図２は、電池４が駆動電源として使用中で、電気二重層コンデンサ１１Ａ、１１Ｂは待機状態(充電状態)になっている様子を示しており、充電用スイッチ１４Ｂと充電用スイッチ１４Ｅは閉成、放電用スイッチ１４Ｃと放電用スイッチ１４Ｆは開放しており、電気二重層コンデンサ１１Ａ、１１Ｂは充電回路１３に接続され、放電回路１５とは切り離されている。
【００３０】
このように、充電用スイッチ１４Ｂ，１４Ｅと放電用スイッチ１４Ｃ，１４Ｆの閉成および開放により、電気二重層コンデンサ１１Ａ，１１Ｂの充電および放電の回路が構成される。充電用スイッチ１４Ｂ，１４Ｅと放電用スイッチ１４Ｃ，１４Ｆの閉成および開放は、ＣＰＵ６の指令でなされる。
【００３１】
図３は電力計測用通信装置内の電源装置の動作を説明するフローチャートであり、図中３箇所には参考のために充放電切替スイッチ１４の状態を示した回路構成図(一点鎖線で囲まれた図(ａ) 〜(ｃ))が付記されている。
【００３２】
まず、装置本体３の電源スイッチ(図示せず)を入れると、電源供給は電池４から行われる(Ｓ１)。電源監視回路１０は電池４の電圧を計測し、電池４の電圧が所定電圧以上かどうかの判定が行われ(Ｓ２)、その結果がＣＰＵ６へ出力される。
【００３３】
ここで電池４の電圧が所定電圧以上の場合(Ｓ２でＹｅｓ)、ＣＰＵ６は充放電切替スイッチ１４を充電側に設定する信号を送信し、図３(ａ)に示すように充電スイッチ１４Ｂ，１４Ｅを閉成し、ダイオード１４Ａ，１４Ｄを介して充電回路１３と電気二重層コンデンサ１１Ａ，１１Ｂを接続して、放電用スイッチ１４Ｃ，１４Ｆを開放し、電気二重層コンデンサ１１Ａ，１１Ｂを放電回路１５と切り離す。
【００３４】
電気二重層コンデンサ(１)１１Ａと電気二重層コンデンサ(２)１１Ｂは、補助電源用電流誘起素子５で取得された電流で、入力回路１２、充電回路１３、充放電切替スイッチ１４を介して充電される(Ｓ３)。
【００３５】
一方、電池４の電圧が所定電圧より低い場合(Ｓ２でＮｏ)、電源監視回路１０はＣＰＵ６へ電池４の消耗信号を出力する。消耗信号を入力したＣＰＵ６は、電池４からの電源供給を停止すると共に、充放電切替スイッチ１４に対し、図３(ｂ)に示すように、充電スイッチ１４Ｂを開放し放電用スイッチ１４Ｃを閉成させて、電気二重層コンデンサ(１)１１Ａを充電回路１３から切り離して放電回路１５と接続することで、装置本体３の電源供給を電池４から電気二重層コンデンサ(１)１１Ａへ切り替える。
【００３６】
すなわちＳ４で、電気二重層コンデンサ(１)１１Ａの放電指令で、電気二重層コンデンサ(１)１１Ａを放電に切り替え、電気二重層コンデンサ(２)１１Ｂは今までの充電状態を継続する。
【００３７】
次にＳ５で電源監視回路１０は、放電回路１５の出力電圧が予め定めた電圧以下か否かを判定し、所定電圧を超えている場合は(Ｓ５でＮｏ)、電気二重層コンデンサ(１)１１Ａからの電源供給を継続し(Ｓ６)、ＣＰＵ６はメモリ８に設けられた電気二重層コンデンサ(１)１１Ａの放電履歴をクリアする(Ｓ７)。
【００３８】
一方、Ｓ５で電源監視回路１０が放電回路１５の出力電圧が所定電圧以下であると判定すると (Ｓ５でＹｅｓ)、ＣＰＵ６に電気二重層コンデンサ(１)１１Ａの消耗信号を出力し、ＣＰＵ６は充放電切替スイッチ１４に対し、図３(ｃ)に示すように、充電スイッチ１４Ｂを閉成し、放電用スイッチ１４Ｃを開放、充電スイッチ１４Ｅを開放、放電用スイッチ１４Ｆを閉成して、電気二重層コンデンサ(１)１１Ａを放電回路１５から切り離して充電回路１３と接続し、電気二重層コンデンサ(２)１１Ｂを充電回路１３から切り離して放電回路１５と接続するように指示する。これにより装置本体３の電源供給は、電気二重層コンデンサ(１)１１Ａから電気二重層コンデンサ(２)１１Ｂへ切り替わる。
【００３９】
すなわちＳ８で、電気二重層コンデンサ(２)１１Ｂの放電指令で、電気二重層コンデンサ(１)１１Ａを充電に切り替え、電気二重層コンデンサ(２)１１Ｂを放電に切り替える。
【００４０】
次にＳ９で電源監視回路１０は、放電回路１５の出力電圧が予め定めた電圧以下か否かを判定し、所定電圧を超えている場合は(Ｓ９でＮｏ)、電気二重層コンデンサ(２)１１Ｂからの電源供給を継続し(Ｓ１０)、ＣＰＵ６はメモリ８に設けられた電気二重層コンデンサ(２)１１Ｂの放電履歴をクリアする(Ｓ１１)。
【００４１】
一方、Ｓ９で電源監視回路１０が放電回路１５の出力電圧が所定電圧以下であると判定すると (Ｓ９でＹｅｓ)、ＣＰＵ６に電気二重層コンデンサ(２)１１Ｂの消耗信号を出力し、ＣＰＵ６はメモリ８内の全ての放電履歴がクリアされたか否か判定する(Ｓ１２)。
【００４２】
全ての放電履歴がクリアされている場合(Ｓ１２でＹｅｓ)、ＣＰＵ６は再放電指令を電気二重層コンデンサ１１Ａ，１１Ｂに対して出力し、メモリ８内の全ての放電履歴をセットする(Ｓ１３)。
【００４３】
次に再度前記Ｓ２、Ｓ４、Ｓ５と順次進み、ＣＰＵ６はメモリ８内の全放電履歴がセット状態であった場合(Ｓ１２でＮｏ)、全ての電気二重層コンデンサ１１(本実施形態では電気二重層コンデンサ１１Ａ，１１Ｂ)が所定電圧以下になっており、電気二重層コンデンサ１１からの電源供給が不能であると判定する。
【００４４】
そして、充放電切替スイッチ１４に対して、図３(ａ)に示すように、充電スイッチ１４Ｂ，１４Ｅを閉成して充電回路１３に接続し、放電用スイッチ１４Ｃ，１４Ｆを開放して放電回路１５と切り離す信号を出力することで、全ての電気二重層コンデンサ１１(電気二重層コンデンサ１１Ａ，１１Ｂ)からの電源供給を停止して (Ｓ１４)、フローを終了する。
【００４５】
ここで、装置本体３への電源供給は全て停止したが、電気二重層コンデンサ１１Ａ，１１Ｂへの充電は行われており、電池４の交換後に備えている。
【００４６】
実施形態では、電気二重層コンデンサ１１を２個使用したが、３個以上用いることもできる。この場合も電気二重層コンデンサの電源供給順序は予め決められており、電源を供給していない電気二重層コンデンサは充電状態に維持されている。
【００４７】
実施形態では、装置本体３に対し、通常の電源供給を電池４で行い、電池４が消耗してからの電源供給を行う電気二重層コンデンサ１１Ａ，１１Ｂの充電を、電池４を用いずに、配電線１に取り付けられている補助電源用電流誘起素子５から行うようにしたので、電池４を長時間使用することができる。
【００４８】
実施形態では、電池４の電圧が降下して、電気二重層コンデンサ１１Ａ，１１Ｂより電源を供給するとき、電気二重層コンデンサ１１Ａで電源を供給しているとき、電気二重層コンデンサ１１Ｂは充電状態となっている。さらに、電気二重層コンデンサ１１Ａの電圧が降下して、電気二重層コンデンサ１１Ｂからの電源供給に切り替えると、電気二重層コンデンサ１１Ａは充電状態となる。
【００４９】
このように、一方の電気二重層コンデンサが放電のとき、他方の電気二重層コンデンサは充電をしており、これを交互に繰り返して行うので、例えば複数個の電気二重層コンデンサを並列接続して蓄電容量を増やした場合と比べて、電気二重層コンデンサの使用個数が同じであれば、本実施形態の方が電源供給が長時間継続できるという特長がある。
【００５０】
実施形態では、電池４からの電源供給中と、電池４からの電源供給を停止して電気二重層コンデンサ１１からの電源供給中と、電池４ならびに電気二重層コンデンサ１１からの電源供給停止を区別して表示する表示手段としてＬＥＤ１６を用いたが、例えば音声発生手段など他の表示手段を用いることも可能である。
【００５１】
実施形態では、電力計測用通信装置の電源装置について説明したが、本発明はこれに限定されるものではなく、他の通信装置用の電源装置としても適用可能である。
【００５２】
請求項１の充放電切替手段は、本実施形態の充放電切替スイッチ１４に対応する。
請求項１の電源制御部は、本実施形態のＣＰＵ６に対応する。
請求項６の表示手段は、本実施形態のＬＥＤ１６に対応する。
【符号の説明】
【００５３】
１：配電線
２：計測用ＣＴ型電流センサー
３：計測・無線装置本体
４：駆動用電池
５：補助電源用電流誘起素子
６：ＣＰＵ
７：計測回路
８：メモリ
９：無線通信回路
１０：電源監視回路
１１Ａ：第１電気二重層コンデンサ
１１Ｂ：第２電気二重層コンデンサ
１２：入力回路
１３：充電回路
１４：充放電切替スイッチ
１４Ｂ：第１充電用スイッチ
１４Ｃ：第１放電用スイッチ
１４Ｅ：第２充電用スイッチ
１４Ｆ：第２放電用スイッチ
１５：放電回路
１６：ＬＥＤ
【図１】
2015192501.tif 000003
【図２】
2015192501.tif 000004
【図３】
2015192501.tif 000005